(57)【要約】      （修正有）【課題】パネルによって形成される目地の見え方を変えることで、これまでにない新しい外観を構成し得る壁体を提供する。【解決手段】目地底形成面４１を有した支柱４と、当該目地底形成面４１と協働して目地１０を形成し得るパネル１とを具備してなる壁体Ａであって、パネル１が、板材を平板状に形成してなる表面板２１と当該表面板２１の周縁２４から当該表面板２１の周縁２４から板材を目地底形成面４１側へ折り曲げてなる折返板２５とを有する面材２を具備するものであり、折返板２５が、表面板２１から板材を断面視鋭角に折り返した傾斜折返部２６を有することにより、目地１０の形状が、当該目地１０の幅寸法を前記目地底形成面４１に向かって漸次大きくする方向に傾斜させた形状をなすものであることを特徴とする。【選択図】図４
2010285851.tif 000002
【特許請求の範囲】
【請求項１】
目地底形成面を有した構造材と、当該目地底形成面と協働して目地を形成し得るパネルとを具備してなる壁体であって、
前記パネルが、板材を平板状に形成してなる表面板と当該表面板の周縁から前記板材を目地底形成面側へ一体又は別体に延出させてなる折返板とを有する面材を具備するものであり、
前記折返板が、前記表面板から前記板材を断面視鋭角に延出させた傾斜折返部を有することにより、前記目地の形状が、当該目地の幅寸法を前記目地底形成面に向かって漸次大きくする方向に傾斜させた形状をなすものであることを特徴とする壁体。
【請求項２】
前記折返板が、前記表面板の周縁と前記傾斜折返部との間に、前記表面板の裏面側に前記板材を重ね合わせた折畳部をさらに具備している請求項１記載の壁体。  
【請求項３】
前記傾斜折返部の先端から前記表面板の面方向に平行に前記板材を延出させて設けられ、前記構造材に係り合って当該構造材に取り付けられるための取付部をさらに具備している請求項１又は２記載の壁体。
【請求項４】
前記取付部が、前記構造材にフックを介して取り付けられるためのフック孔を有している請求項３記載の壁体。
【請求項５】
前記傾斜折返部から前記表面板の面方向に平行に延出した取付部をさらに具備したものであり、
前記折畳部の折畳寸法を前記取付部の延出寸法以下に設定している請求項２記載の壁体。
【請求項６】
前記構造材をスライド移動可能な扉枠としている請求項１又は２記載の壁体。
【発明の詳細な説明】
【技術分野】
【０００１】
本発明は、パネルによって目地が形成される壁体に関するものである。
【背景技術】
【０００２】
従来、間仕切り装置や扉装置に対し、面板を適宜折り曲げて構成したパネル本体と、パネル本体の裏面に設けた例えば石膏ボードといった芯材とを具備しているパネルが種々提案され、ている。
【０００３】
このようなものの中には、例えば支柱に掛止具を介して取り付けることによって、建物内の空間を仕切るために構成された、パーティションシステムや間仕切り装置と呼ばれる壁体に適用されたものが開示されている。(例えば、特許文献１、特許文献２参照)。
【０００４】
そして上述のようなパネルに至っては、例えば表面にクロス材や樹脂性のシートを被覆したようなものや金属製の面板をそのまま表出させるなど、さまざまな態様のものが存在している。
【先行技術文献】
【特許文献】
【０００５】
【特許文献１】特開２０００−１７０２８９号公報
【特許文献２】特開２００５−００９０８２号公報
【発明の概要】
【発明が解決しようとする課題】
【０００６】
しかしながら、これらパネルの何れのものにおいても、上述のパネルでは、表面を構成する面板の周縁から板材を折り返して構成する折返板は、目地底形成面に向かって直角に折り返し、さらに内方に直角に折り返している形状としているものである。そのために、斯かるパネルによって形成される目地の部分の見え方といえば、パネルの周縁によって形成される隙間から表面板の端部を折り返した折返板が目地の内側面が垣間見えており、見る角度によっては、例えばパネルを支持している支柱の表面である目地底形成面が見えているといった、どれも同じような見え方となってしまっているのが現状である。
【０００７】
本発明は、このような点に着目したものであり、パネルによって形成される目地の見え方を変えることで、これまでにない新しい外観を構成し得る壁体を提供することを目的としている。
【課題を解決するための手段】
【０００８】
本発明は、このような目的を達成するために、次のような手段を講じたものである。
【０００９】
すなわち本発明に係る壁体は目地底形成面を有した構造材と、当該目地底形成面と協働して目地を形成し得るパネルとを具備してなる壁体であって、前記パネルが、板材を平板状に形成してなる表面板と当該表面板の周縁から前記板材を目地底形成面側へ一体又は別体に延出させてなる折返板とを有する面材を具備するものであり、前記折返板が、前記表面板から前記板材を断面視鋭角に延出させた傾斜折返部を有することにより、前記目地の形状が、当該目地の幅寸法を前記目地底形成面に向かって漸次大きくする方向に傾斜させた形状をなすものであることを特徴とする。
【００１０】
ここで、「目地の幅寸法」という幅方向とは、横幅の方向という意味ではなく、目地が延出する長手方向に直交する方向を指すものである。よって、本発明の目地は上下左右や斜め方向といった何れの方向に延出するのかを限定するものではない。また折返板は表面板から板材を折り返して成る態様に限定されるものではなく、別体の板材を溶接等によって接続させたものであっても良い。
【００１１】
このようなものであれば、傾斜折返部を設けることによって目地の形状が、目地底形成面に向かって幅寸法が漸次大きくなる形状となるため、目地を見た際にはパネルの折返板が見え難くなる一方、目地底形成面が見えやすくなるため、パネル自体の周縁すなわち輪郭が従来よりも際立って見えることとなり、これまでにないパネルの新しい外観を提供することが可能となる。
【００１２】
また加えて従来の折返板ではパネルの周縁から目地底形成面に向かって直角に折り返し、さらに内方に直角に折り返している形状としているのに対し、本願の傾斜折返部は目地底形成面に向かう方向と内方とに同時に折り返すこととなるので、折返板の寸法をより少なくしながら所要の寸法を折り返すことが可能となる。すなわち、折返板を構成するための材料を少なく抑えることも可能となる。
【００１３】
折返板が目地の外方からさらに見え難くしてより目地底形成面が見え易くするとともに、面板の周縁の強度を有効に向上させるためには、面板の周縁と傾斜折返部との間に、表面板の裏面側に板材を重ね合わせた折畳部をさらに設けることが望ましい。
【００１４】
そして、構造体に対するパネルの位置決めを確実に行ない得るものとするためには、傾斜折返部の先端から表面板の面方向に平行に板材を延出させて設けられ、構造材に係り合って当該構造材に取り付けられるための取付部をさらに設けたものとすることが好ましい。
【００１５】
そして、構造材に対して迅速且つ確実にパネルを取り付け得るようにするためには、取付部に、構造材にフックを介して取り付けられるためのフック孔を設けたものとすればよい。
【００１６】
さらに、折返板全体の寸法を抑えながら、折畳部の上述した効果を担保しておくためには、折畳部の折畳寸法を取付部の延出寸法以下に設定しておくことが好ましい。
【００１７】
そして、本発明は構造材としての支柱にフックを介して好適に壁体を構成し得るものであるが、他方、構造材をスライド移動可能な扉枠とした、壁体が有している扉に適用する態様としてもよい。
【発明の効果】
【００１８】
本発明によれば、目地の形状が、目地底形成面に向かって幅寸法が漸次大きくなる形状となるため、目地を見た際にはパネルの折返板が見え難くなる一方、目地底形成面が見えやすくなるため、パネル自体の周縁すなわち輪郭が従来よりも際立って見えることとなり、これまでにないパネルの新しい外観を提供することが可能となる。また加えて本発明は、傾斜折返部を設けることによって、従来のパネルよりも表面板から折り返す折返板を構成するための材料を少なく抑えたパネルを提供することも可能となる。
【図面の簡単な説明】
【００１９】
【図１】本発明の一実施形態に係る壁体の外観を示す正面図。
【図２】同実施形態に係る壁体の要部を示す斜視図。
【図３】図２に対応した構成説明図。
【図４】図１におけるＩ−Ｉ線断面図。
【図５】同実施形態の変形例に係る要部の模式的な図。
【図６】本発明の他の実施形態に係る外観を示す平面図。
【図７】同実施形態に係る要部を示す斜視図。
【図８】同実施形態に係る断面図。
【発明を実施するための形態】
【００２０】
＜第１実施形態＞
以下、本発明の第１実施形態について図面を参照して説明する。
【００２１】
本実施形態に係る壁体Ａは、図１、図２、図３及び図４に示すように、空間を区画するために用いられるものであり、構造材たる支柱４と、この支柱４の前後において幅方向両端部を支持されるパネル１と、床面Ｕから立ち上がる下端部において前後面を形成する巾木Ｈと、天井Ｔに接し上端部において前後面を形成する笠木Ｋとを具備したものである。そして本実施形態では、巾方向に並ぶパネル１間の隙間において、目地１０が形成されている。
【００２２】
ここで、本実施形態に係る壁体Ａは、目地底形成面４１を有した支柱４と、当該目地底形成面４１と協働して目地１０を形成し得るパネル１とを具備してなる壁体Ａであって、パネル１が、板材を平板状に形成してなる表面板２１と当該表面板２１の周縁２４から板材を目地底形成面４１側へ折り曲げてなる折返板２５とを有する面材２を具備するものであり、折返板２５が、表面板２１から板材を断面視鋭角に折り返した傾斜折返部２６を有することにより、目地１０の形状が、当該目地１０の幅寸法を目地底形成面４１に向かって漸次大きくする方向に傾斜させた形状をなすものであることを特徴とする。
【００２３】
以下、本実施形態に係る壁体Ａにおいて、目地１０を構成している支柱４とパネル１に着目して詳述する。
【００２４】
支柱４は、図２、図３及び図４に示すように、床面Ｕから巾木Ｈを介して起立して設けられ本実施形態ではその上端部を笠木Ｋを介して天井Ｔに固定している。すなわち、壁体Ａの高さ寸法は、天井Ｔから床面Ｕまでの高さ寸法と略等しく設定している。そして当該支柱４の前後面には、パネル１の巾方向両端部に係合可能な取付孔４２を設けるとともに、当該取付孔４２間に形成された面を、本発明の目地底形成面４１としている。
【００２５】
パネル１は、図２、図３及び図４に示すように、例えば本実施形態では板金により構成された面材２と、当該面材２の裏面側に取り付けられた芯材である石膏ボード３とを有している。ここで、石膏ボード３の構成並びに具体的な態様は既存のものと同様のものであるため、その具体的な説明を省略するものとする。
【００２６】
面材２は、同図に示すように、表面を露出させるとともに裏面側に石膏ボード３を取り付けた表面板２１と、当該表面板２１の巾方向における周縁２４から板材を折り曲げて形成した折返板２５とを有している。なお本実施形態では、表面板２１の上下方向の周縁２４からも、板材を折り返した端面折返板２９を設けている。ここで本実施形態に係る面材２は、板金のみからなる態様のみならず、板金の表面にクロス材や樹脂を貼付することによって、種々の色彩や質感を出し得るものであるが、本実施形態では一例として板金のみによって面材２を構成した態様を説明するものとする。
【００２７】
折返板２５は、本実施形態では周縁２４から裏面２３側に板材を重ね合わせた折畳部２７と、折畳部２７から板材を断面視鋭角に折り返した傾斜折返部２６と、傾斜折返部２６の先端から表面板２１の面方向に平行に板材を延出させて設けられ、支柱４に設けた取付孔４２に対し、図３に示すフックＦを介して係り合い得るフック孔２８ａを有することによって支柱４に取り付けるための取付部２８とを有している。そして本実施形態では、折畳部２７の折畳寸法を取付部２８の延出寸法以下に設定したものとしている。
【００２８】
しかして本実施形態では、図２、図３及び図４に示すとおり、上記支柱４とパネル１とによって形成される目地１０の形状が、図４に示すように、目地１０の形状が、当該目地１０の幅寸法を目地底形成面４１に向かって漸次大きくする方向に傾斜させた形状をなしたものとなっている。
【００２９】
以上のような構成とすることにより、本実施形態に係る壁体Ａは、傾斜折返部２６を設けることによって目地１０の形状が、目地底形成面４１に向かって幅寸法が漸次大きくなる形状となるため、目地１０を見た際にはパネル１の折返板２５が見え難くなる一方、目地底形成面４１が見えやすくなるため、パネル１自体の周縁２４すなわち輪郭が従来よりも際立って見えることとなり、これまでにないパネル１の新しい外観を提供し得るパネルとなっている。
【００３０】
また加えて従来の折返板２５ではパネル１の周縁２４から目地底形成面４１に向かって直角に折り返し、さらに内方に直角に折り返している形状としているのに対し、本願の傾斜折返部２６は目地底形成面４１に向かう方向と内方とに同時に折り返すこととなるので、折返板２５の寸法をより少なくしながら所要の寸法を折り返すことが可能となる。すなわち、折返板２５を構成するための材料を少なく抑えられたものとなっている。
【００３１】
折返板２５が目地１０の外方からさらに見え難くしてより目地底形成面４１が見え易くするとともに、面板の周縁２４の強度を有効に向上させるために本実施形態では、面板の周縁２４と傾斜折返部２６との間に、表面板２１の裏面２３側に板材を重ね合わせた折畳部２７をさらに設けたものとしている。またこの折畳部２７を設けることにより、当該折畳部２７の箇所に別途板ナットやクランプの足等を取り付ければ、棚板等のオプション部材を任意の位置に取り付けることも可能となる。
【００３２】
そして、構造体たる支柱４に対するパネル１の位置決めを確実に行ない得るものとするために本実施形態では、傾斜折返部２６の先端から表面板２１の面方向に平行に板材を延出させて設けられ、支柱４に係り合って当該構造材に取り付けられるための取付部２８をさらに設けたものとしている。
【００３３】
そして本実施形態では支柱４に対して迅速且つ確実にパネル１を取り付け得るようにするためには、取付部２８に、支柱４にフックを介して取り付けられるためのフック孔２８ａを設けたものとして、既存の支柱に対しても好適にパネル１を適用して本発明を容易に実現し得るものとなっている。
【００３４】
さらに、折返板２５全体の寸法を抑えながら、折畳部２７の上述した効果を担保しておくための具体的な態様として本実施形態では、折畳部２７の折畳寸法を取付部２８の延出寸法の同じか、それ以下に設定したものとしている。
【００３５】
そして、本実施形態において適用し得る本発明の折返板２５の形状は、図２、図３及び図４で図示した形状に限られることはない。
＜変形例＞
続いて、本実施形態の各変形例について、図５を参照して説明するが、同変形例において、上記本実施形態に相当する構成要素に対しては同じ符号を付し、その詳細な説明を省略するものとする。
【００３６】
まず、図５（ａ）に記載の通り、本実施形態で使用したパネル面材２と支柱４とによって形成した目地１０の内部に、詳細には、傾斜折返部２６上に、例えばＬＥＤに代表される照明手段Ｌを配置したものとしても良い。なおこの場合、照明手段Ｌに接続する配線ｈは、傾斜折返部２６に適宜開口等を設けて折返板２５内方に取り回している。このようなものであれば、折返板２５から目地底形成面４１を照らすことによって目地１０を間接照明的に灯すことによって、これまでに無い目地１０やパネルの見栄えを実現した壁体Ａを実現することができる。特に本発明の傾斜折返部２６を構成することによって、外側からは照明手段Ｌ自体が目立ち難いものとなっている。
【００３７】
そして、同図（ａ）の他にも、各変形例に係るパネル１の折返板２５を同図（ｂ）乃至（ｆ）に示す。すなわち本発明に係る折返板２５は、同図（ｂ）のように、折畳部２７の寸法を大きく設定することにより、折畳部２７の寸法と取付部２８の寸法とを略等しく形成してもよく、また、同図（ｃ）のように、折返部の寸法を短く構成してもよい。また、同図（ｄ）のように、折畳部２７を設けずに傾斜折返部２６と取付部２８とによって折返板２５を構成しても、同図（ｅ）のように傾斜折返部２６のみによって折返板２５を形成しても良い。又勿論、同図（ｆ）のように折畳部２７と傾斜折返部２６とによって折返板２５を構成したものであっても良い。このように本発明では、目地１０の形状が、当該目地１０の巾寸法が目地底形成面４１にむかって漸次大きくし得るものであれば、種々の形状の折返板２５を適用することができる。
【００３８】
そして特に同図（ｂ）のように折畳部２７の寸法を大きくしたものであれば、例えば折畳部自体を挟み代として利用することにより、目地１０内に別途板ナットやクランプの足等を配置させて、パネル１の表面板２１における任意の位置に棚板等のオプション部材を取り付け易い構成とすることが可能となる。
【００３９】
また図５に図示した態様の他にも、例えば傾斜折返部２６の延出する角度を適宜変更しても良く、特に、折畳部２７の寸法が大きい寸法とするにつれて傾斜折返部２６の延出する角度を、直角に近付けた緩い角度としても、折返板２５を目立たせ難い目地１０を構成することができる。
【００４０】
＜第２実施形態＞
さらに、本発明の第２実施形態について、以下に説明する。なお本実施形態において、上記第１実施形態の構成要素に相当する構成要素に対しては、上記実施形態と同じ符号を付すとともに、その詳細な説明を省略するものとする。
【００４１】
本実施形態に係る壁体Ｂは、スライド扉Ｂ１及び回転扉Ｂ２を構成する扉枠５を有する扉装置として機能するものであり、これら回転扉Ｂ２及びスライド扉Ｂ１を構成する扉枠５を本発明に係る構造材として、本発明に係るパネル１を適用したものである。
【００４２】
具体的に説明すると、この扉装置として機能する壁体Ｂは、例えば人が行き交う道路などの表空間ＯＰと、建物のインフラを担う各種設備が収容された裏空間ＣＬとを仕切るために設置されたもので、上下に配設されたレールＲに図７に破線で示した戸車ＴＣを有したスライド扉Ｂ１をスライド移動可能に支持させてなる。
【００４３】
そしてこの壁体Ｂは、図６に示すように、上述した上下のレールＲとの間にスライド扉Ｂ１を例えば３枚配設するとともに、これら３枚のスライド扉Ｂ１の両側に回転扉Ｂ２を配してなるもので、全てのスライド扉Ｂ１及び回転扉Ｂ２を面一に閉じた状態で、表空間ＯＰと裏空間ＣＬとを仕切る為の本発明に係る壁体Ｂとして機能するようになっている。
【００４４】
そして本実施形態では、これらスライド扉Ｂ１並びに回転扉Ｂ２を構成している扉枠５の片側である、表空間ＯＰ側に、本発明に係るパネル１を取り付けることによって、図８に示すような、当該目地１０の幅寸法を目地底形成面５１に向かって漸次大きくする方向に傾斜させた形状をなすように構成しているものである。
【００４５】
扉枠５は、上述の通りスライド扉Ｂ１並びに回転扉Ｂ２の主体をなすものであり、本実施形態では、目地底形成面４１は、スライド扉Ｂ１の一端側または両端において、図７に示すようにパネル１の取付部２８に連続する箇所に別体の板材と貼付することによって設けている。
【００４６】
そしてパネル１は、上記実施形態同様に、例えば本実施形態では板金により構成された面材２と、当該面材２の裏面２３側に取り付けられた芯材である石膏ボード３とを有している。
【００４７】
そして面材２に設けた折返板２５は、周縁２４から板材を断面視鋭角に折り返した傾斜折返部２６を、上記実施形態同様に有するとともに、目地底形成面４１に近接下側の折返板２５においては、傾斜折返部２６の先端から表面板２１の面方向に平行に板材を延出させて設けた取付部２８を有するものとしている。
【００４８】
斯かる構成のものであっても、目地１０の形状が、目地底形成面４１に向かって幅寸法が漸次大きくなる形状となるため、目地１０を見た際にはパネル１の折返板２５が見え難くなる一方、目地底形成面４１が見えやすくなるため、パネル１自体の周縁２４すなわち輪郭が従来よりも際立って見えることとなり、これまでにないパネル１の新しい外観を提供し得るものとなっている。
【００４９】
以上、本発明の実施形態について説明したが、各部の具体的な構成は、上述した実施形態のみに限定されるものではなく、本発明の趣旨を逸脱しない範囲で種々変形が可能である。
【００５０】
例えば、上記実施形態ではパネルの巾寸法両端に形成される上下方向に延出した目地に対して本発明を適用した態様を開示したが、勿論、目地が延出する方向を限定するものではなく、横方向や斜め方向に延出させた目地に本発明を適用したものであってもよい。また面材・芯材の素材やパネル自体の寸法などといった構成の具体的な態様は上記実施形態のものに限定されることはなく、既存のものを含め、種々の態様のものを適用することができる。
【００５１】
その他、各部の具体的構成についても上記実施形態に限られるものではなく、本発明の趣旨を逸脱しない範囲で種々変形が可能である。
【符号の説明】
【００５２】
１…パネル
１０…目地
２…面材
２１…表面板
２３…裏面
２４…周縁
２５…折返板
２６…傾斜折返部
２７…折畳部
２８…取付部
２８ａ…フック孔
４…構造材（支柱）
４１…目地底形成面
５…構造材（扉枠）
Ａ、Ｂ…壁体
Ｆ…フック
【図１】
2010285851.tif 000003
【図２】
2010285851.tif 000004
【図３】
2010285851.tif 000005
【図４】
2010285851.tif 000006
【図５】
2010285851.tif 000007
【図６】
2010285851.tif 000008
【図７】
2010285851.tif 000009
【図８】
2010285851.tif 000010